(57)【要約】【課題】開閉カバーを閉じた状態に保持する保持力を強化することができるカード用アダプタを提供することにある。【解決手段】ｓ方向に回動することでケース１の収納空間２を開閉する開閉カバー５０を、前後方向（ｆ−ｂ方向）にスライド可能にする。開閉カバー５０の前端部には凹部５４ｂを有する舌状部５４Ａを設ける。ケース１には舌状部５４Ａが挿入される穴６０Ａを設ける。穴６０Ａの上部を形成する上部ケース２０の上板２１には凹部５４ｂと係合する凸部２３を設ける。これらにより、開閉カバー５０を閉じた状態で前方向（ｆ方向）にスライドさせると、開閉カバー５０の舌状部５４Ａがケース１の穴６０Ａに挿入され、舌状部５４Ａの凹部５４ｂとケース１の凸部２３が係合して開閉カバー５０が閉じた状態に保持されるようにした。【選択図】図５
2006032095.tif 000002
【特許請求の範囲】
【請求項１】
カードが収納される収納空間を形成するケースと、このケースに設けられ一端部が前記収納空間内に露出され、前記収納空間に収納された前記カードの端子に接触するとともに、他端部が前記ケースの外部に露出され外部機器の端子に接触可能な端子部材と、前記ケースに回動可能に取付けられ前記収納空間を開閉する開閉カバーと、この開閉カバーを閉じた状態に保持する保持手段とを備え、前記外部機器に挿入されて前記カードと前記外部機器を接続するカード用アダプタであって、
前記保持手段が、閉じた状態にある前記開閉カバーの所定方向へのスライドを可能にするスライド手段と、
前記ケースに設けられ、閉じた状態にある前記開閉カバーの前記所定方向へのスライドに伴って前記開閉カバーの所定部分が挿入され、前記開閉カバーの開く方向の回動を阻止する阻止部と、
閉じた状態にある前記開閉カバーの前記所定方向へのスライドに伴って前記開閉カバーと前記ケースを係合させる係合手段とを備えることを特徴とするカード用アダプタ。
【請求項２】
請求項１記載の発明において、
前記ケースの後端部につまみ部を設け、前記開閉カバーに前記つまみ部を露出させる切欠き部を設けたことを特徴とするカード用アダプタ。
【請求項３】
請求項１記載の発明において、
前記ケース内に、前記カードを収納空間に位置決めするとともに前記開閉カバーのスライド方向への前記カードの移動を阻止する壁部を設けたことを特徴とするカード用アダプタ。
【請求項４】
請求項１記載の発明において、
前記開閉カバーが金属からなり、
前記ケースに、前記開閉カバーの前記所定部分が接触可能なグランド端子を設けたことを特徴とするカード用アダプタ。
【請求項５】
請求項１記載の発明において、
前記開閉カバーが開いた状態で露出する前記カードの表面に突出部が形成されており、
前記開閉カバーに、前記突出部が配置されるとともにこの突出部が配置された状態における前記開閉カバーのスライドを許容する孔を形成したことを特徴とするカード用アダプタ。
【請求項６】
請求項５記載の発明において、
前記カードの前記突出部が、前記カードが前記収納空間に配置された状態で前記開閉カバーのスライド方向に直線的に延びる縁部を有し、
前記開閉カバーの一部であって前記孔の輪郭を形成する部分に、前記スライド方向に直線的に延び、前記突出部の前記縁部に摺接可能な摺接部を形成したことを特徴とするカード用アダプタ。
【発明の詳細な説明】
【技術分野】
【０００１】
本発明は、カードが収納される収納空間を形成するケースと、ケースに回動可能に取付けられ収納空間を開閉する開閉カバーと、この開閉カバーを閉じた状態に保持する保持手段とを備え、外部機器に挿入されてカードと外部機器を接続するカード用アダプタに関する。
【背景技術】
【０００２】
従来のカード用アダプタ、例えばＩＣカード用アダプタは、カードが収納される収納空間を形成するケースと、一端部が収納空間内に露出されカードの端子に接触する内部端子と、ケースの外部に露出され外部機器に接続される外部端子と、内部端子と外部端子を連絡する回路基板とを備えている。ケースには、収納空間を開閉する開閉カバーが回動可能に取付けられている。また、開閉カバーを閉じた状態に保持する保持手段として、ケースの後端部の壁部に設けられる凹部と、開閉カバーに設けられこの開閉カバーが完全に閉じたときに凹部に係合する凸部とを備えている。
【特許文献１】特開平１０−２４０８８７号公報
【発明の開示】
【発明が解決しようとする課題】
【０００３】
カード用アダプタは、手指の爪でつまんで扱うほどの小型化が要望されている。前述した従来のカード用アダプタを小型化する場合、凹部および凸部を小さくする必要がある。凹部および凸部を小さくすると、凹部と凸部の係合力が弱くなるため、開閉カバーを閉じた状態に保持する保持力が弱くなるという問題が発生する。
【０００４】
本発明は、前述の実状を考慮してなされたものであり、その目的は、開閉カバーを閉じた状態に保持する保持力を強化することができるカード用アダプタを提供することにある。
【課題を解決するための手段】
【０００５】
〔１〕  本発明は、前述の目的を達成するために、カードが収納される収納空間を形成するケースと、このケースに設けられ一端部が前記収納空間内に露出され、前記収納空間に収納された前記カードの端子に接触するとともに、他端部が前記ケースの外部に露出され外部機器の端子に接触可能な端子部材と、前記ケースに回動可能に取付けられ前記収納空間を開閉する開閉カバーと、この開閉カバーを閉じた状態に保持する保持手段とを備え、前記外部機器に挿入されて前記カードと前記外部機器を接続するカード用アダプタであって、前記保持手段が、閉じた状態にある前記開閉カバーの所定方向へのスライドを可能にするスライド手段と、前記ケースに設けられ、閉じた状態にある前記開閉カバーの前記所定方向へのスライドに伴って前記開閉カバーの所定部分が挿入され、前記開閉カバーの開く方向の回動を阻止する阻止部と、閉じた状態にある前記開閉カバーの前記所定方向へのスライドに伴って前記開閉カバーと前記ケースを係合させる係合手段とを備えることを特徴とする。
【０００６】
このように構成した本発明では、開閉カバーを閉じて所定方向へスライドさせると、開閉カバーの所定部分が阻止部に挿入されるとともに開閉カバーとケースが係合して、開閉カバーが閉じた状態に保持される。閉じた状態に保持された開閉カバーを開く際は、開閉カバーとケースの係合力に抗して開閉カバーを所定方向と反対方向にスライドさせて開閉カバーの所定部分を阻止部から抜き出した後に、開閉カバーを開く方向に回動させる。つまり、本発明では、開閉カバーを開く方向へ回動させるための力を開閉カバーに付与する前に、開閉カバーとケースの係合を解くための力であって開閉カバーを開く方向に回動させるための力とは異なる方向の力を付与しなければ、開閉カバーが開かない。この結果、開閉カバーを閉じた状態に保持する保持力を強化することができる。
【０００７】
〔２〕  本発明は、〔１〕記載の発明において、前記ケースの後端部につまみ部を設け、前記開閉カバーに前記つまみ部を露出させる切欠き部を設けたことを特徴とする。
【０００８】
このように構成した本発明は、ケースの後端部に設けられたつまみ部が開閉カバーの切欠き部から露出しているので、開閉カバーを不用意にスライドさせないようにつまむことができる。
【０００９】
〔３〕  本発明は、〔２〕記載の発明において、前記ケース内に、前記カードを収納空間に位置決めするとともに前記開閉カバーのスライド方向への前記カードの移動を阻止する壁部を設けたことを特徴とする。
【００１０】
このように構成した本発明では、カードをケースに収納する際、壁部によってカードが収納空間に位置決めされるので、カードを円滑に収納空間に配置できる。また、開閉カバーをスライドさせる際、開閉カバーのスライド方向へのカードの移動が阻止されるので、カードの端子と端子部材の接触を良好な状態に保持することができるとともに、カードの端子や端子部材の損傷を防止できる。
【００１１】
〔４〕  本発明は、〔１〕記載の発明において、前記開閉カバーが金属からなり、前記ケースに、前記開閉カバーの前記所定部分が接触可能なグランド端子を設けたことを特徴とする。
【００１２】
このように構成した本発明では、閉じた状態に保持された開閉カバーを、グランド端子を介して接地させることができる。これにより、カードを外部磁界や静電気から保護することができる。
【００１３】
〔５〕  本発明は、〔１〕記載の発明において、前記開閉カバーが開いた状態で露出する前記カードの表面に突出部が形成されており、前記開閉カバーに、前記突出部が配置されるとともにこの突出部が配置された状態における前記開閉カバーのスライドを許容する孔を形成したことを特徴とする。
【００１４】
このように構成した本発明では、ケースにカードが収納されているか否かを確認することができる。また、開閉カバーに孔を設けない場合よりもカード用アダプタの厚さ寸法を薄くすることができる。
【００１５】
〔６〕  本発明は、〔５〕記載の発明において、前記カードの前記突出部が、前記カードが前記収納空間に配置された状態で前記開閉カバーのスライド方向に直線的に延びる縁部を有し、前記開閉カバーの一部であって前記孔の輪郭を形成する部分に、前記スライド方向に直線的に延び、前記突出部の前記縁部に摺接可能な摺接部を形成したことを特徴とする。
【００１６】
このように構成した本発明では、カードの突出部の縁部に、開閉カバーの摺接部が摺接することによって、開閉カバーのスライドをガイドすることができる。
【発明の効果】
【００１７】
前述したように、本発明は、開閉カバーを開く方向へ回動させるための力を開閉カバーに付与する前に、開閉カバーとケースの係合を解くための力であって開閉カバーを開く方向に回動させるための力とは異なる方向の力を付与しなければ、開閉カバーが開かないようになっているので、開閉カバーを閉じた状態に保持する保持力を強化することができる。
【発明を実施するための最良の形態】
【００１８】
以下に本発明のカード用アダプタの一実施形態について図１〜５を用いて説明する。図１は本発明のカード用アダプタの一実施形態を示す斜視図、図２は図１に示す実施形態にカードを収納した状態を示す斜視図、図３は図１に示す実施形態の分解斜視図、図４は図１に示す実施形態に備えられるインサート成形部を示す平面図、図５は開閉カバーとケースの係合状態を示す断面図である。
【００１９】
図１，２に示すように、本実施形態は、カード１００が収納される収納空間２を形成するケース１を備えている。このケース１には、収納空間２内に露出されカード１００の端子（図示せず）に接触する内部端子（一端部）４１、ケース１の外部に露出され外部機器（図示せず）に接続される外部端子（他端部）４２（図４参照）、内部端子４１と外部端子４２を連結する連結部４３（図４参照）からなる複数の端子部材４０を設けてある。また、ケース１には、金属からなり、収納空間２を開閉する開閉カバー５０をｓ方向に回動可能に取付けてある。
【００２０】
ケース１は、図３に示すように、底板１１を有する下部ケース１０と、開閉カバー５０が配置される切欠き２３が形成された上板２１を有する上部ケース２０と、インサート成形により端子部材４０と一体化されたインサート成形部３０とからなる。インサート成形部３０は、下部ケース１０の縁に形成される枠部１２と、上部ケース２０の縁に形成される枠部２２とに嵌合してある。下部ケース１０と上部ケース２０は、互いの枠部１２，２２同士を突き合わせて固着してある。
【００２１】
端子部材４０の内部端子４１は、一端がインサート形成部３０に支持され他端が収納空間２内に配置される片持ち梁状に形成してある。この内部端子４１は、ケース１の厚さ方向（ｏ−ｕ方向）に直交する平面方向、例えば前後方向（ｆ−ｂ方向）に並べてある。インサート成形部３０および下部ケース１０には、内部端子４１の下方（ｕ方向）への撓みを許容する矩形の孔３１，１３を形成してある。
【００２２】
端子部材４０の外部端子４２は、図４に示すように、矩形の平板状に形成してあり、インサート成形部３０の前端部の下面において露出させてある。また、外部端子４２は、ケース１の厚さ方向（ｏ−ｕ方向）に直交する平面方向、例えば左右方向（ｌ−ｒ方向）に並べてある。
【００２３】
開閉カバー５０をケース１に回動可能に取付ける構造は、図３に示すように、開閉カバー５０の両側部に形成されたリブ５１Ａ，５１Ｂのそれぞれの一端部に設けられ、左右方向に貫通する一対の軸孔５２Ａ，５２Ｂと、インサート成形部３０の後端部の両側部に形成され、一対の軸孔５２Ａ，５２Ｂに回転可能に挿入される一対の回動軸３２Ａ，３２Ｂとからなる。
【００２４】
また、本実施形態は、開閉カバー５０を閉じた状態に保持する保持手段を備えている。
【００２５】
保持手段は、閉じた状態にある開閉カバー５０の所定方向、例えば前方向（ｆ方向）へのスライドを可能にするスライド手段を備えている。このスライド手段は、前記一対の回動軸３２Ａ，３２Ｂと、長孔からなり前記回動軸３２Ａ，３２Ｂのスライドを許容する前記一対の軸孔５２Ａ，５２Ｂとから構成してある。
【００２６】
また、保持手段は、ケース１に設けられ、閉じた状態にある開閉カバー５０の前方向へのスライドに伴って開閉カバー５０の所定部分が挿入され、開閉カバー５０の開く方向への回動を阻止する阻止部を備えている。
【００２７】
開閉カバー５０の所定部分とは、前記軸孔５２Ａ，５２Ｂが設けられる一端部とは反対側の他端部に形成されるリブ５３からほぼ直角に延びる舌状部５４Ａ，５４Ｂである。これら舌状部５４Ａ，５４Ｂは、開閉カバー５０が閉じた状態においてリブ５３Ａ，５３Ｂから前方向（ｆ方向）に突出する。
【００２８】
前記阻止部は、インサート成形部３０に形成される溝部３３Ａと上部ケース２０の上板２１の下面とから形成され、前記舌状部５４Ａが挿入される穴６０Ａ（図５参照）と、インサート成形部３０に形成される溝部３３Ｂと上部ケース２０の上板２１の下面とから形成され、前記舌状部５４Ｂが挿入される穴（図示せず）である。
【００２９】
また、保持手段は、閉じた状態にある開閉カバー５０の前方向へのスライドに伴って開閉カバー５０とケース１を係合させる係合手段を備えている。この係合手段は、図５に示すように、舌状部５４Ａに形成された湾曲部５４ａと、この湾曲部５４ａとリブ５３との間に形成される凹部５４ｂと、上部ケース２０の上板２１の下面から突出する凸部２３とからなる。
【００３０】
つまり、舌状部５４Ａが穴６０に挿入される際は、凸部２３から湾曲部５４ａに与えられる力により舌状部５４Ａが下方向（ｄ方向）に撓んで凹部５４ｂと凸部２３が係合し、舌状部５４Ａが穴８から引抜かれる際は、凸部２３から湾曲部５４ａに与えられる力により舌状部５４Ａが下方向に撓んで凹部５４ａが凸部２３から離脱するようにしてある。なお、舌状部５４Ａと同様にして舌状部５４Ｂにおいても開閉カバー５０とケース１が係合および離脱可能にしてある（図示せず）。
【００３１】
また、ケース１の後端部には、つまみ部１５を設けてある。開閉カバー５０には、つまみ部１５を露出させる切欠き部５５を設けてある。つまみ部１５は、下部ケース１０の後端部に横たわる略四角柱状の部分からなる。つまみ部１５の上面には、左右方向に延びるスリット１５ａを形成してある。このスリット１５ａは、手指の爪を引っ掛けることができる程度の寸法に設定してある。
【００３２】
また、インサート成形部３０の右側部には、前後方向に延び、閉じた状態にある開閉カバー５０のリブ５１Ａが配置されるガイド切欠き３７を設けてある。また、インサート成形部３０の左側部には、閉じた状態にある開閉カバー５０のリブ５１Ｂが配置されるガイド溝３８を設けてある。つまり、開閉カバー５０のスライド時に、ガイド切欠き３７，ガイド溝３８が、リブ５１Ａ，５１Ｂの移動をガイドするようにしてある。
【００３３】
また、インサート成形部３０には、カード１００の長手方向（ｌ−ｒ方向）における両端面のそれぞれに対向する壁部３４，３５と、カード１００の幅方向（ｌ−ｒ方向）における一端面に対向する壁部３６とを形成してある。また、前記つまみ部１５の前端部１５ｂを、カード１００の幅方向における他端面に対向する壁部としてある。つまり、壁部３４，３５，３６およびつまみ部１５の前端部１５ｂが、カード１００を収納空間２に位置決めし、壁部３６がカード１００の前方向のスライドを阻止し、つまみ部１５の前端部１５ｂがカード１００の後方向（ｂ方向）へのスライドを阻止するようにしてある。
【００３４】
また、本実施形態は、開閉カバー５０の舌状部５４Ａが接触する内部端子７１と、端子部材４０の外部端子４２とともに並べられ、外部に露出する外部端子７２と、内部端子７１と外部端子７２を連結する連結部７３とを有するグランド端子７０を備えている。このグランド端子７０の内部端子７１は、前記溝部３３Ａの底面において露出させてある。このグランド端子７０の外部端子７２は、本実施形態が外部機器のカード用コネクタに挿入された状態において、カード用コネクタのグランド端子部材に接触して接地される。
【００３５】
また、本実施形態に装着されるカード１００は、開閉カバー５０が開いた状態で露出する表面すなわち上面に、突出部１００ａが形成されている。開閉カバー５０には、突出部１００ａが配置されるとともに、この突出部１００ａが配置された状態における開閉カバー５０のスライドを許容する孔５６を形成してある。
【００３６】
また、カード１００の突出部１００ａは、カード１００が収納空間２に配置された状態で開閉カバー５０のスライド方向に直線的に延びる縁部１００ｂを有する。開閉カバー５０の前記孔５６の輪郭を形成する部分には、スライド方向に直線的に延び、突出部１００ａの直線状の縁部１００ｂに摺接可能な摺接部５６ａを形成してある。
【００３７】
また、本実施形態では、図４に示すように、複数の端子部材４０のそれぞれの連結部４３を、インサート成形部３０に埋設してある。また、インサート成形部３０の左側部のＡ部（一点鎖線で囲んだ部分）には、２つの連結部４３がケース１の厚さ方向における異なる位置に配置されるとともに樹脂を挟んで重なった部分を、複数設けてある。また、グランド端子部材７０の連結部７３も、端子部材４０の連結部４３の上方に配置してある。
【００３８】
また、インサート成形部３０には、連結部４３の一部を露出させる金型穴８０，８１や、グランド端子７０の内部端子７１を露出させる金型穴８２（図５参照）を形成してある。金型穴８０は、インサート成形の際、連結部４３の下面に金型を直接接触させた結果形成されたものであり、金型穴８１は、連結部４３の上面に金型を直接接触させた結果形成されたものであり、金型穴８２は、グランド端子７０の連結部７３の下面に金型を直接接触させたために形成されたものである。
【００３９】
本実施形態は、次のようにして使用する。
【００４０】
本実施形態にカード１００を装着する際、はじめに、図１に示すように開閉カバー５０を開く。そして、図２に示すようにケース１の収納空間２にカード１００を配置する。このとき、壁部３４，３５，３６およびつまみ部１５の前端部１５ｂによって、ケース１に対するカード１００の挿入がガイドされ、カード１００が収納空間２に位置決めされる。
【００４１】
次に、開閉カバー５０を閉じ、開閉カバー５０舌状部５４Ａ，５４Ｂのそれぞれを、上部カバー２０の上板２１に覆われていない溝部３３Ａ，３３Ｂの後端部に配置する。
【００４２】
次に、開閉カバー５０を前方向にスライドさせる。開閉カバー５０の前方向へのスライド中、開閉カバー５０のリブ５１Ａ，５１Ｂのそれぞれの移動がガイド切欠き３７およびガイド溝３８のそれぞれによってガイドされる。また、孔５６の摺接部５６ａの移動がカード１００の突出部１００ａの縁部１００ｂによってガイドされる。つまり、開閉カバー５０は、ガイド切欠き３７，ガイド溝３８および突出部１００ａの縁部１００ｂによって、左右方向にずれないようガイドされながら、前方向へのスライドする。また、開閉カバー５０の前方向へのスライドに伴うカード１００の前方向へのずれは、壁部３６により防止される。
【００４３】
また、開閉カバー５０が前方向にスライドすると、舌状部５４Ａが穴６０Ａに挿入され、舌状部５４Ａの湾曲部５４ａが上部ケース２０の凸部２３に当接する。そして、穴６０Ａの奥方向への舌状部５４Ａの移動に伴って、凸部２３から湾曲部５４ａに下方向の力が与えられる。下方向の力を与えられた舌状部５４Ａは、下方向に撓む。これにより、舌状部５４Ａの移動がさらに穴６０Ａの奥方向へ移動し、湾曲部５４ａが凸部２３を通過する。すると、舌状部５４Ａの凹部５４ｂと上部ケース２０の凸部２３が係合する（図５に示す状態）。また、開閉カバー５０のもう１つの舌状部５４Ｂも同様にして上部ケース２０に係合する。つまり、開閉カバー５０は、開く方向の回動を上部ケース２０の上板２１により阻止され、開閉カバー５０の後方向へのスライドをケース１との係合により抑制されることによって、閉じた状態に保持される。
【００４４】
また、開閉カバー５０の舌状部５４Ａは、凸部２３に係合した状態において、グランド端子７０の内部端子７１に接触している。
【００４５】
また、本実施形態を外部機器のカード用コネクタ（図示せず）に装着する際は、つまみ部１５を手指でつまんで持運び、外部機器のカード用コネクタに挿入する。本実施形態がカード用コネクタに挿入された状態では、端子部材４０の外部端子がカード用コネクタの端子に接触する。これにより、カードに記憶された情報を外部機器により扱えるようになる。また、グランド端子部材７０の外部端子７２が、カード用コネクタのグランド端子部材に接触し、これにより、開閉カバー５０が接地される。
【００４６】
前述のようにして本実施形態に装着したカード１００を取出す際は、はじめに、開閉カバー５０を、開閉カバー５０の舌状部５４Ａ，５４Ｂと上部ケース２０との係合力に抗して後方向（ｂ方向）へスライドさせて、開閉カバー５０とケース１との係合を解く。その後、開閉カバー５０を後方向にさらにスライドさせて、上部ケース２０の上板２１に覆われていない溝３３Ａ，３３Ｂのそれぞれ後端部まで、舌状部５４Ａ，５４Ｂを引出す。
【００４７】
次に、開閉カバー５０を開く方向に回動させて図２に示すように開閉カバー５０を開き、カード１００を取出す。
【００４８】
なお、開閉カバー５０の後方向へのスライド中も、開閉カバー５０の後方向へのスライドが、ガイド切欠き３７，ガイド溝３８および突出部１００ａの縁部１００ｂによって左右方向にずれないようにガイドされる。また、開閉カバー５０の後方向へのスライドに伴うカード１００の前方向へのずれは、つまみ部１５の前端部１５ｂにより防止される。
【００４９】
本実施形態によれば、次の効果を得られる。
【００５０】
本実施形態では、開閉カバー５０を開く方向へ回動させるためのｓ方向の力を開閉カバー５０に付与する前に、開閉カバー５０とケース１の係合を解くための力であって開閉カバー５０を開く方向に回動させるための力とは異なるｂ方向の力を付与しなければ、開閉カバー５０が開かない。この結果、開閉カバー５０を閉じた状態に保持する保持力を強化することができる。
【００５１】
また、本実施形態では、ケース１の後端部に設けられたつまみ部１５が開閉カバー５０の切欠き部５５から露出しているので、開閉カバー５０を不用意にスライドさせないようにつまむことができる。
【００５２】
また、本実施形態では、カード１００をケース１に収納する際、壁部３４，３５，３６およびつまみ部１５の前端部１５ｂによってカード１００が収納空間２に位置決めされるので、カード１００を円滑に収納空間２に配置できる。また、開閉カバー５０をスライドさせる際、開閉カバー５０のスライド方向へのカード１００の移動が壁部３６およびつまみ部１５の前端部１５ｂによって阻止されるので、カード１００の端子と内部端子４１の接触を良好な状態に保持することができるとともにカード１００の端子や内部端子４１の損傷を防止できる。
【００５３】
また、本実施形態では、閉じた状態に保持された開閉カバー５０を、グランド端子７０を介して接地させるので、カード１００を外部磁界や静電気から保護することができる。
【００５４】
また、本実施形態では、開閉カバー５０に、カード１００の突出部１００ａが配置されるとともにこの突出部１００ａが配置された状態における開閉カバー５０のスライドを許容する孔５６を形成してある。これにより、ケース１にカード１００が収納されているか否かを確認することができるとともに、開閉カバー５０に孔５６を設けない場合よりもカード用アダプタの厚さ寸法を薄くすることができる。
【００５５】
また、本実施形態では、カード１００の突出部１００ａの直線状の縁部１００ｂに、開閉カバー５０の直線状の摺接部５６ａを摺接させた状態で開閉カバー５０をスライドさせるので、開閉カバー５０のスライド時の左右方向へのずれ防止に貢献できる。
【００５６】
なお、本実施形態では、開閉カバー５０をケース１の後端部に回動およびスライド可能に取付けてあるが、本実施形態はこれに限るものではなく、ケース１の側部に取付けて、左右方向にスライドするようにしてもよい。
【図面の簡単な説明】
【００５７】
【図１】本発明のカード用アダプタの一実施形態を示す斜視図である。
【図２】図１に示す実施形態にカードを収納した状態を示す斜視図である。
【図３】図１に示す実施形態の分解斜視図である。
【図４】図１に示す実施形態に備えられるインサート成形部を示す平面図である。
【図５】開閉カバーとケースの係合状態を示す断面図である。
【符号の説明】
【００５８】
１              ケース
２              収納空間
１０            下部ケース
１１            底板
１５            つまみ部
１５ｂ          前端部
２０            上部ケース
２１            上板
２３            凸部
３０            インサート成形部
３２Ａ，３２Ｂ  回動軸
３３Ａ，３３Ｂ  溝部
３４〜３６      壁部
３７            ガイド切欠き
３８            ガイド溝
４０            端子部材
４１            内部端子
４２            外部端子
４３            連結部
５０            開閉カバー
５２Ａ，５２Ｂ  軸孔
５４Ａ，５４Ｂ  舌状部
５４ａ          湾曲部
５４ｂ          凹部
５５            切欠き部
５６            孔
５６ａ          摺接部
６０Ａ          孔
７０            グランド端子
７１            内部端子
７２            外部端子
７３            連結部
１００          カード
１００ａ        突出部
１００ｂ        縁部
【図１】
2006032095.tif 000003
【図２】
2006032095.tif 000004
【図３】
2006032095.tif 000005
【図４】
2006032095.tif 000006
【図５】
2006032095.tif 000007